(57)【要約】      （修正有）【課題】成長後の帆立貝の水揚げに際して発生する付着物の落下、これに起因する雪崩現象的な帆立貝の落下を確実に防止する落下防止具を提供する。【解決手段】ロープ１にその長さ方向に所定間隔を開けて多数の係止具２を係止し、この係止具２の両端部に帆立貝３，３を係止し、帆立貝をロープに吊り下げ支持し、このロープを海中に垂下し、帆立貝を養殖する帆立貝の養殖法に用い、ロープに吊り下げ支持した帆立貝の所定のものの下側に臨み、該ロープに下端部を係止し、且つ該ロープを囲むように該ロープに取り付ける漏斗状、または漏斗状類似の形状として落下防止具１０を構成する。【選択図】図１
0003156673.tif 000002
【実用新案登録請求の範囲】
【請求項１】
ロープにその長さ方向に所定間隔を開けて多数の係止具を係止し、この係止具の両端部に帆立貝を係止し、帆立貝をロープに吊り下げ支持し、このロープを海中に垂下し、帆立貝を養殖する帆立貝の養殖法において、
前記ロープに吊り下げ支持した帆立貝の所定のものの下側に臨み、該ロープに下端部を係止し、且つ該ロープを囲むように該ロープに取り付ける漏斗状、または漏斗状類似の形状であることを特徴とする帆立貝の養殖に用いる落下防止具。
【請求項２】
前記漏斗状、または漏斗状類似の落下防止具は、周壁、または周囲に排水用の開口部を複数備えることを特徴とする請求項１に記載の帆立貝の養殖に用いる落下防止具。
【請求項３】
前記落下防止具は、中心に向けて三角形の切欠を有する円板材であり、切欠の一側縁には係合孔を、他側縁にはこれと係合する係止片を夫々有し、中心部はロープを通す切れ目を有し、且つ板面には排水開口を有し、
前記切れ目にロープを通して下端部でロープを囲み、板面をロープを囲むように逆円錐状に曲げ、前記係合孔に係合片を係止して漏斗状形状を保持させるとともに、ロープの前記切れ目部分の下側の部位にストッパを貫通させてロープに係止、保持させるようにした、
ことを特徴とする請求項２に記載の帆立貝の養殖に用いる漏斗状の落下防止具。
【請求項４】
前記落下防止具は海星状であり、中心部の円板状基部の周囲に放射状に複数の指部を備え、基部には中心に向けて三角形の切欠を有し、切欠の一側縁には係合孔を、他側縁にはこれと係合する係止片を夫々有し、中心部はロープを通す切れ目を有し、
前記切れ目にロープを通して下端部でロープを囲み、前記基部をロープを囲むように逆円錐状に曲げ、前記係合孔に係合片を係止し、前記複数の指部が、ロープを中心にして該ロープの径方向外方に傾斜するように放射状に該ロープを囲み、ロープの前記切れ目部分の下側の部位にストッパを貫通させてロープに係止、保持させるようにした、
ことを特徴とする請求項２に記載の帆立貝の養殖に用いる漏斗状類似の落下防止具。
【請求項５】
ロープにその長さ方向に所定間隔を開けて多数の係止具を係止し、この係止具の両端部に帆立貝を係止し、帆立貝をロープに吊り下げ支持し、このロープを海中に垂下し、帆立貝を養殖する帆立貝の養殖法において、
前記ロープに吊り下げ支持した帆立貝の所定のものの下側に臨み、該ロープに上端部を係止し、且つ該ロープを囲むように該ロープに取り付ける傘状、または傘状類似の形状であることを特徴とする帆立貝の養殖に用いる落下防止具。
【請求項６】
前記傘状、または傘状類似の落下防止具は、周壁、または周囲に排水用の開口部を複数備えることを特徴とする請求項５に記載の帆立貝の養殖に用いる落下防止具。
【請求項７】
傘状、または傘状類似の落下防止具は、周壁を備える傘状体、または傘骨状体であることを特徴とする請求項５または請求項６に記載の帆立貝の養殖に用いる落下防止具。
【考案の詳細な説明】
【技術分野】
【０００１】
本考案は、帆立貝の養殖において用いられる落下防止具に関するものである。
詳しくは、ロープに係止具を介して帆立貝の稚貝を所定スパンで係止して吊り下げ支持し、このロープを海中に投入し、海中で帆立貝の成長を促し、帆立貝を養殖する帆立貝の養殖において、海中からロープを引き上げて生育した帆立貝を水揚げする際に、雑物の付着により重量が増大することで発生する係止具の破断、これに起因する帆立貝の落下を事前に防止する落下防止具に関するものである。
【背景技術】
【０００２】
ロープの長さ方向に直交する方向に係止ピンを所定間隔で貫通・保持させ、係止ピンの両端部の抜止部に帆立貝（稚貝）の耳片を係止し、海中にロープを垂下し、帆立貝を養殖する帆立貝の養殖法は従来から行われている。
かかる帆立貝の養殖に用いられる係止ピンは従来から知られている。
【先行技術文献】
【特許文献】
【０００３】
【特許文献１】特許第３３７５５０６号公報
【考案の概要】
【考案が解決しようとする課題】
【０００４】
図１３〜図１７は、帆立貝の養殖法の説明図である。
図１３に示すように、帆立貝の養殖は、ロープ１００に係止ピン１０１…（…は複数を表す。以下同じ）を所定間隔を開けて貫通保持させ、係止ピン１０１の両端部に帆立貝１０２の稚貝の耳片を係止し、爾後、このロープを海中に垂下して養殖を行うものである。
ロープ１００は、径が６〜８ｍｍで、長さが１０〜１５ｍであり、７〜８ｃｍ長の係止ピンを、１０〜１３ｃｍピッチでロープにその長さ方向に直交する方向に貫通・保持させ、各係止ピンの両端部に帆立貝１０２の耳片を係止・保持する。
【０００５】
図１４は、帆立貝の養殖状態を示す説明図である。
両端部をアンカーロープ１０３，１０３に結束した横ロープ１０４を水平に架け渡し、この横ロープ１０４にその長さ方向（横方向）に間隔を開け、複数本のロープ１００…の上端部を結束して平行に海中に垂らす。
各ロープ１００…には、帆立貝１０２…が、長さ方向に所定ピッチで離間して係止ピン１０１…により複数組み係止、保持されている。
【０００６】
横ロープ１０４には、所定間隔で複数の浮き１０５…を結束し、横ロープ１０４を海面下の所定深さに保持し、横ロープ１０４の両端部とアンカーロープ１０３，１０３の結束部位には浮き１０６，１０６を繋げ、浮き１０６，１０６は上半部が海面上に露出しており、浮き１０６，１０６の存在で、海面における養殖箇所の目印とする。
このように、帆立貝の稚貝１０２…を係止、保持したロープ１００…を海中に垂下して海中に侵浸し、帆立貝の養殖を行う。
養殖期間は１０ヶ月〜１２ヶ月である。
【０００７】
ところで、図１４に示したように、ロープに係止具で保持された帆立貝を、ロープを介して海中に垂下・保持した状態で養殖を行うが、垂下したロープや帆立貝に大量の付着物が付着する。
即ち、図１５に示すように、ロープ１００や帆立貝１０２にイガイ（ヒルガイ）、フジツボ、ホヤ等の雑物１０７が経時的に付着する。
雑物１０７は、経時的に成長し、帆立貝を含むロープは、付着した雑物１０７により、場合によっては電信柱のように太くなり、その太さは３０ｃｍ〜４０ｃｍ程度にも達する。
【０００８】
図１６は帆立貝の水揚げ状態を示す説明図である。
船１０８の舷側１０８ａに配設した巻揚機１０９、巻揚ガイド１１０で、ロープ１００を巻き揚げ、ロープ１００に係止具１０１で係止・保持された帆立貝１０２を水揚げする。
この水揚げに際し、帆立貝１０２及びロープ１００に付着した雑物１０７も一緒に引き上げられることとなる。
【０００９】
ところで、ロープ及び成長した帆立貝に付着した大量の付着物（成長した帆立貝及び雑物）はその重量が大きい。
水揚げ時に、ロープを海面上に引き上げた際、水中とは異なり、上記した生育した帆立貝、付着した雑物からなる付着物は浮力を失う。
その結果、付着物の荷重により、海面上に引き上げられた付着物（成長した帆立貝及び大量の付着した雑物）は、海面から露出することで浮力を失う。
その付着物は自重が大きいことから、付着物はその重量で、これをロープに保持する係止具１０１自身を破断することとなる。この結果、付着物はロープに沿って一気に垂直に落下する。
この状態を図１７で示した。
【００１０】
ところで、この海面上で始まる付着物の落下は、下位の付着物の上に臨み、これに載ったり等して触れ、この重量が下位の付着物に作用し、あたかも雪崩のように下位の付着物に伝播する。
これにより、ロープに保持された水中にある下位の付着物は、上位の付着物の落下が引き金となり、その落下、脱落を数珠繋ぎに誘発し、成長した帆立貝、雑物からなる付着物の落下、脱落が上から下へ連続的に伝播することとなる。
この結果、せっかく養殖して生育させた帆立貝が大量に失われる原因となる。
【００１１】
ところで、海面に近い垂下物（帆立貝及び成長する雑物等）、特に海面から２ｍ〜３ｍ位に配置された垂下物は波浪の上下運動の影響受け、ロープの上端部近くに配置されている帆立貝を支持している係止具は、係止している帆立貝等が、波浪により交番的に揺すられることから、その強度が弱っており、破断し易い。
従って、上記した水揚げ時における初期の係止具の破断、帆立貝を含む付着物（垂下物）の落下、雪崩現象を誘発し、生育後の帆立貝の損失の大きな原因となる。
ところで、下方の垂下物は波動の影響が少ないので、帆立貝を含む付着物は揺すられることが少なく、海中で安定して姿勢が保持されており、係止具は弱っていない。
【００１２】
因みに、成長後の帆立貝、雑物を含む垂下物が付着したロープは、雑物を含んで直径が２０ｃｍ〜３０ｃｍにも達し、長さが１５ｍであり、その総重量は、空中であれば約１トンにも達する。
【００１３】
本考案は、養殖後の帆立貝の水揚げ時に発生する帆立貝（帆立貝、雑物からなる付着物）の落下、これに起因する帆立貝の雪崩現象的な、数珠繋ぎ的な落下、落下の伝播の発生を防止すべくなされたものであり、水揚げ時に海面上で始まる上位の付着物の落下が、下の付着物に触れ、これに起因して、雪崩現象のように下方の垂下物に伝播することに着目してなされたものである。
【００１４】
本考案の目的とするところは、帆立貝の養殖において、成長後の帆立貝の水揚げに際して発生する付着物（成長後の帆立貝、これに付着した雑物）の落下、これに起因する雪崩現象的な帆立貝の落下を確実に防止する落下防止具を提供することにある。
これにより、帆立貝養殖における帆立貝の水揚げ効率を著しく向上させ、養殖帆立貝の回収効率を著しく高め、帆立貝の水揚げ効率、回収効率の向上を、簡素に実現することができる帆立貝の養殖に用いる落下防止具を提供することにある。
【課題を解決するための手段】
【００１５】
上記課題を解決するために、請求項１に係る考案は、ロープにその長さ方向に所定間隔を開けて多数の係止具を係止し、この係止具に帆立貝を係止し、帆立貝をロープに吊り下げ支持し、このロープを海中に垂下し、帆立貝を養殖する帆立貝の養殖法に用いる防止具であって、前記ロープに吊り下げ支持した帆立貝の所定のものの下側に臨み、該ロープに下端部を係止し、且つ該ロープを囲むように該ロープに取り付ける漏斗状、または漏斗状類似の形状であることを特徴とする。
【００１６】
請求項２に係る考案は、請求項１において、前記漏斗状、または漏斗状類似の落下防止具は、周壁、または周囲に排水用の開口部を複数備えることを特徴とする。
【００１７】
請求項３に係る考案は、請求項２において、前記落下防止具は、中心に向けて三角形の切欠を有する円板材であり、切欠の一側縁には係合孔を、他側縁にはこれと係合する係止片を夫々有し、中心部はロープを通す切れ目を有し、且つ板面には排水開口を有し、前記切れ目にロープを通して下端部でロープを囲み、板面をロープを囲むように逆円錐状に曲げ、前記係合孔に係合片を係止して漏斗状形状を保持させるとともに、ロープの前記切れ目部分の下側の部位にストッパを貫通させてロープに係止、保持させるようにしたことを特徴とする。
【００１８】
請求項４に係る考案は、請求項２において、前記落下防止具は海星状であり、中心部の円板状基部の周囲に放射状に複数の指部を備え、基部には中心に向けて三角形の切欠を有し、切欠の一側縁には係合孔を、他側縁にはこれと係合する係止片を夫々有し、中心部はロープを通す切れ目を有し、前記切れ目にロープを通して下端部でロープを囲み、前記基部をロープを囲むように逆円錐状に曲げ、前記係合孔に係合片を係止し、前記複数の指部が、ロープを中心にして該ロープの径方向外方に傾斜するように放射状に該ロープを囲み、ロープの前記切れ目部分の下側の部位にストッパを貫通させてロープに係止、保持させるようにしたことを特徴とする。
【００１９】
請求項５に係る考案は、ロープにその長さ方向に所定間隔を開けて多数の係止具を係止し、この係止具に帆立貝を係止し、帆立貝をロープに吊り下げ支持し、このロープを海中に垂下し、帆立貝を養殖する帆立貝の養殖法において、前記ロープに吊り下げ支持した帆立貝の所定のものの下側に臨み、該ロープに上端部を係止し、且つ該ロープを囲むように該ロープに取り付ける傘状、または傘状類似の形状であることを特徴とする。
【００２０】
請求項６に係る考案は、請求項５において、前記傘状、または傘状類似の落下防止具は、周壁、または周囲に排水用の開口部を複数備えることを特徴とする。
【００２１】
請求項７に係る考案は、請求項５または請求項６において、傘状、または傘状類似の落下防止具は、周壁を備える傘状体、または傘骨状体であることを特徴とする。
【考案の効果】
【００２２】
請求項１に係る考案では、海中からロープを引き上げて生育後の帆立貝を水揚げする際、付着した雑物を含む帆立貝（付着物）が大重量化し、係止具が破断し、雑物を含む帆立貝がロープから離脱、落下しても、離脱、落下した帆立貝等は下側の落下防止具で支承され、下位の帆立貝への落下の影響を防止することができ、落下防止具は漏斗状、あるいは漏斗状類似の構造なので、ロープから離脱し、落下する帆立貝等を確実に支承することができ、水揚げ時における帆立貝の損失の発生を可及的に防止し、効率の良い養殖帆立貝の養殖帆立貝の水揚げ、回収を行うことができる。
そして、以上をロープに漏斗状、または漏斗状類似の落下防止具を帆立貝等の所定のものの下側に取り付け、支持させるだけなので、簡易であり、また、落下防止具の構造も簡素で、安価に提供することができる。
【００２３】
請求項２に係る考案では、周壁、または周囲に排水用の開口部を複数備えるので、帆立貝等とともに海中に配置されていても、内部に海水が溜まることが無い。
【００２４】
請求項３に係る考案では、三角形の切り欠き、係止孔、係止片、開口部を有する円板材を用意し、これを漏斗状に曲げ、ロープにストッパを介して取り付けることで、落下防止具を形成することができるので、構造簡素であり、安価に得ることができ、またロープへの取り付けも簡単である。
【００２５】
請求項４に係る考案では、海星状の板材の基部を漏斗状類似の形状に折り曲げ、ロープにストッパを介して取り付けることで、落下防止具を形成することができるので、構造簡素であり、安価に得ることができ、またロープへの取り付けも簡単である。
【００２６】
請求項５に係る考案では、海中からロープを引き上げて生育後の帆立貝を水揚げする際、付着した雑物を含む帆立貝（付着物）が大重量化し、係止具が破断し、雑物を含む帆立貝がロープから離脱、落下しても、離脱、落下した帆立貝等は下側の落下防止具で支承され、下位の帆立貝への落下の影響を防止することができ、落下防止具は傘状、あるいは傘状類似の構造なので、ロープから離脱し、落下する帆立貝等を支承し、あるいは外側に案内し、下位の帆立貝等への影響を防止し、水揚げ時における帆立貝の損失の発生を可及的に防止し、効率の良い養殖帆立貝の水揚げ、回収を行うことができる。
そして、以上をロープに傘状、または傘状類似の落下防止具を帆立貝等の所定のものの下側に取り付け、支持させるだけので、簡易であり、また、落下防止具の構造も簡素で、安価に提供することができる。
【００２７】
請求項６に係る考案では、周壁、または周囲に排水用の開口部を複数備えるので、帆立貝等とともに海中に配置されていても、内部に海水が溜まることが無い。
【００２８】
請求項７に係る考案では、傘状、または傘状類似の落下防止具は、周壁を備える傘状体、または傘骨状体なので、構造が簡素で、安価に実効性のある落下防止具を得ることができる。
【図面の簡単な説明】
【００２９】
【図１】本考案の実施の形態における第１の実施の形態を示す図であって、帆立貝養殖時に、ロープに落下防止具を取り付けた状態を示す斜視図である。
【図２】落下防止具の円板材の展開図である。
【図３】落下防止具のロープへの取り付け作業を示す斜視図である。
【図４】ロープに帆立貝を係止・保持させ、海中に垂下させて養殖を行う説明図である。
【図５】帆立貝を海中で養殖し、経時的にロープや帆立貝にイガイ、フジツボ、ホヤ等の雑物が付着し、成長した状態を示す説明図である。
【図６】水揚げ状態を示す説明図である。
【図７】本考案に係る落下防止具の第２実施例の展開図である。
【図８】図７の落下防止具を組み立て、ロープに装着した状態を示す説明的斜視図である。
【図９】本考案に係る係止具の第３実施例に係る斜視図である。
【図１０】本考案に係る係止具の第４実施例に係る斜視図である。
【図１１】本考案にかかる係止具を用いた第２の実施の形態の代表例を示す説明的斜視図である。
【図１２】図１１の実施の形態における帆立貝の養殖を示す説明図で、図５と同様の図である。
【図１３】ロープに係止具を介して帆立貝を係止、支持した状態を示す説明図である。
【図１４】帆立貝の養殖状態を示す説明図である。
【図１５】ロープに吊り下げ、養殖した帆立貝に付着物が付着した状態を示す説明図である。
【図１６】水揚げ状態を示す説明図である。
【図１７】帆立貝の水揚げに発生する脱落状態を示す説明図である。
【考案を実施するための形態】
【００３０】
本考案の実施の形態としての第１の実施の形態を添付図に基づいて以下に説明する。なお、図面は符号の向きに見るものとする。
図１は、帆立貝養殖時に、ロープに落下防止具を取り付けた状態を示す斜視図を示し、ロープ１に係止ピン（係止具）２を貫通、係止し、係止ピン２の両側に帆立貝（稚貝）３，３の耳片３ａ，３ａを係止孔を介して係止、保持させる。
ロープ１はその径が６〜８ｍｍで、長さが１０〜１５ｍであり、図４に示すように７〜８ｃｍ長の係止ピンを１０〜１３ｃｍピッチでロープに貫通・保持させ、各係止ピンの両端部に帆立貝の耳片が係止・保持されている。
【００３１】
図２は、図１に示した本考案に係る落下防止具の第１実施例の展開図である。
落下防止具１０は、円板材からなり、円板形の基板１１は、中心部に破線で示した円形の折り線１２の内側に切れ目１３を放射状に有し、円形の折り線１２はロープ１の外径と略々一致する。
基板１１の一部には、外径から中心へ略三角形の切欠１４を有する。この三角形の切欠１４の一側縁１４ａの円周方向内側には、内側寄り部、外側寄り部の２列に亘り係止孔１５…を外径方向から中心方向に複数設け、他側縁１４ｂには、係止孔１５…に対応する係止片１６…を設けた。
係止孔１５…は円周方向に２列、径方向に３個設け、従って、係止片１６…も３個対応するように設けた。以上の基板１１には、複数個の排水用開口部１７…を設ける。
以上の落下防止具を構成する基板１１は、腰が強く、ある程度の撓み性を有する合成樹脂板材で成形した。
【００３２】
図３は、落下防止具のロープへの取り付け作業を示す斜視図である。
ロープ１に事前に係止ピン類似構造のストッパ１９を貫通するように取り付けておき、ロープ１の所定部位、つまりは所定の帆立貝等の下で、保護すべき帆立貝等の上側に基板１１の切欠１４を臨ませ、切欠１４を介して中心部の切れ目１３にロープ１を嵌める。
ロープ１のこの部分は、切れ目１３及び折り線１２を介して切れ目と折り線との間の小さなフラップが下方に曲がり、ロープを囲む。
爾後、基板１１を切欠１４が閉じるように漏斗状に曲げ、切欠１４の一側縁の係止孔１５…に係止片１６…を挿入し、切欠１４を閉じた状態で漏斗上場対を維持するように保持する。
【００３３】
ところで、係止片１６…は先が尖り、かつ膨出した銛状とし、係止孔１５…は２列設け、係止片１６…の先部を２列の係止孔１５…に挿入、係止したので、係止は強固、確実になされ、漏斗状態を確実に保持する。
これにより、図１に示した通り、ロープ１に上下に係止、支持した帆立貝の間に、漏斗状の落下防止具１０を取り付ける。
【００３４】
図４は、ロープに帆立貝を係止・保持させ、海中に垂下させて養殖を行う説明図である。図１〜図３に示した落下防止具１０を用いて落下防止対策を施した状態を示す説明図である。
図で示した通り、浮きで海面下に横向き（略水平）に架設された横ロープ５に、ロープ１の上端部１ａが結束具６を介して、縦向きに吊り下げ支持されている。
ロープ１には、ロープを貫通・横断するように係止ピン２（係止具）が係止・保持されており、係止ピン２の両端部には、帆立貝３が耳片を貫通、係止することで係止、保持されている。
【００３５】
係止ピン２及びこれの両端部に係止、保持された帆立貝３，３で、一単位の帆立貝養殖単位４を構成する。
図４において、最上位の帆立貝養殖単位４をＡとし、二段面の帆立貝養殖単位４をＢとし、三段目の帆立貝養殖単位４をＣとし、以下の帆立貝養殖単位をＤ〜とする。
各単位Ａ，Ｂ，Ｃ間のロープ長さ方向の間隔は１０〜１３ｃｍである。１０〜１３ｃｍピッチで帆立貝養殖単位が最上位から最下位まで多数ロープに係止、保持されており、海中に侵浸して帆立貝の養殖を行う。
ロープに下端部には錘７を取り付け、海底にロープを定着させる。
【００３６】
以上において、ロープ１に係止・保持された帆立貝養殖単位Ａ〜のうち、海面に近く、波浪の上下運動を受け易い最上段のものから下位のもの、例えば、実施例では、ロープ１に係止・保持された２段目の帆立貝養殖単位Ｂと、三段目の帆立貝養殖単位Ｃとの間の部位に、前記した漏斗状の落下防止具１０を取り付け、支持する。
落下防止具１０の上方に、上位の帆立貝養殖単位のうちの２段目の帆立貝養殖単位Ｂが臨み、帆立貝養殖単位Ｂの上に最上位の帆立貝養殖単位Ａが臨む。
図１に戻って、上位の帆立貝単位Ｂと下位の帆立貝単位Ｃとの間に落下防止具１０が取付支持されている。
【００３７】
図５は、図４の状態で海中で養殖し、経時的にロープや帆立貝にイガイ、フジツボ、ホヤ等の雑物が付着し、成長した状態を示す説明図である。
海中の養殖において、不可避的にロープ１に取り付け、支持された帆立貝養殖単位４…には、イガイ、フジツボ、ホヤ等の雑物８が付着する。
雑物８は、上下に間隔を開けて配置されている帆立貝養殖単位４…だけでなく、帆立貝養殖単位４…間のロープ周にも付着し、上下に配置されている帆立貝養殖単位４…間に、連続するように付着し、帆立貝養殖単位４…の間の部分は細くなって、連続しつつ狭窄した状態となる。
雑物８で覆われた帆立貝養殖単位ＢとＣとの間に、前記した落下防止具１０が配設されていることとなる。
養殖後の水揚げは、図６の状態でなされる。
【００３８】
図６は、水揚げ状態を示す説明図である。
船６１の舷側６１ａに配設した巻揚機６２、巻揚ガイド６３でロープ１を巻き揚げる。ロープ１に長さ方向に連続してぶら下がった帆立貝養殖単位４…は、付着物（雑物）８…を含んで数珠繋ぎ状にロープに垂れ下がって引き上げられる。
この際、海面に近い部分の付着物８…を含む帆立貝養殖単位４、即ち例えば、前記したＡ，Ｂは、付着物で重量が大きくなり、且つ海面から引き上げられて浮力を失う。付着物はその自重が大きいことから、雑物、帆立貝養殖単位を含む付着物は、その重量で、係止具自身を破断し、付着物はロープから離脱し、脱落する。
【００３９】
ところで、最初に海面上に露出し、浮力が無くなり、ロープから離脱する可能性のある上位の帆立貝養殖単位、雑物を含む付着物Ａ，Ｂは、係止具が破断してロープから離脱し、落下する。その際、直下に漏斗状の落下防止具１０が取り付けられているので、これで受けられる。
従って、離脱し、落下した付着物（帆立貝及び雑物）は、下の落下防止具１０でその荷重が支持される。
【００４０】
従って、付着物（帆立貝養殖単位、雑物）がロープから離脱し、落下するのを落下防止具１０で受け、支持するので、一次的には、付着物の荷重を落下防止具１０で支持して係止ピンの破断を防止し、ロープからの離脱を防止する。
二次的には、係止具が破断し、付着物が離脱したとしても、当該付着物を落下防止具１０で下から支え、たとえ、付着物がロープから落下したとしても、落下防止具１０によりロープに沿ったロープから離脱した付着物の落下を防止する。
【００４１】
これにより、ロープ引き上げによる水揚げ時のロープ上位の付着物（帆立貝養殖単位、雑物）Ａ，Ｂのロープからの離脱による下位の付着物Ｃ（帆立貝養殖単位、雑物）への影響を防止することができる。
このように、水揚げ時に海面上で始まる垂下物（帆立貝養殖単位、雑物）の落下、これに起因する雪崩現象を、落下防止具１０で防止することができ、養殖して生育させた帆立貝の回収効率は飛躍的に向上する。
【００４２】
図７は、本考案に係る落下防止具の第２実施例の展開図である。
前記第１実施例と同様の合成樹脂の板材を海星状に成形し、基板２１を得る。基板２１は中央部の円板状の基部２２と、基部の外周から放射状に延出した脚部２３…とからなり、実施例では放射状に９本の脚部２３…を延出し、脚部２３…には、実施例では凹凸状のリブ２３ａ…を夫々設け、強度アップを図った。
【００４３】
基部２２には三角形の切欠２４を中心に向かって設け、切欠２４の基端部で、基部２２の中心部には円形の折り線２５を設け、折り線２５から中心方向に放射状に切れ目２６…を設ける。
切欠２４の一側縁２４ａに近い脚部の基部には、係止孔２７を円周方向に離間して２箇所設け、一方、切欠２４の他側縁２４ｂには、係止孔２７に係合する係止片２８を突設した。
【００４４】
図８において示すように、基部２２の切欠２４に介してロープ１挟み込み、折り線２５から折り目に沿ってフラップを下方に曲げ、ロープ１を囲むように基部２２を漏斗状に窄める。
切欠２４の対向する端縁２４ａ，２４ｂを重ね合わせ、係止片２８を係止孔２７に係合し、脚部２３…を放射状、且つ上方に拡径するように傾斜した逆傘骨状の落下防止具２０を形成する。
下端部には、前記と同様にストッパ１９を貫通して取り付け、落下防止具２０の下端部を支持し、ロープに落下防止具２０を取り付け、支持した。
以上においては、脚部２３…間に大きな隙間があり、排水用開口部を構成する。
【００４５】
図９は、本考案に係る係止具の、第３実施例に係る斜視図である。
本実施例に係る落下防止具３０は、漏斗状（逆カップ状）の本体３１と、これの基部３２とをその形状のまま一体に合成樹脂で成形したもので、リング状の基部３２の上端部から漏斗状に、一体に上方、且つ径方向に上方に行くに従って拡径するように本体３１が設けられており、周壁には排水開口部３３…が設けられ、リング状基部３２をロープに通し、ストッパ１９でロープに取り付け、支持したものである。
【００４６】
図１０は、本考案に係る係止具の、第４実施例に係る斜視図である。
本実施例は、上記した図７、図８の実施例に類似する実施例であり、リング状の基部４２の外周上部に径方向外方で、上方に拡径するように、上方に傾斜させて脚部４３…を放射状に一体に設けた構造であり、リング状基部４２と傘骨状の脚部４３…とを合成樹脂で一体に成形した構造である。脚部４３…間に大きな隙間があり、排水開口を構成するものである。
【００４７】
図１１は、本考案にかかる係止具を用いた第２の実施の形態の代表例を示す説明的斜視図である。
本実施の形態は、上記図１の実施例で示した第１実施例に係る落下防止具に類似する落下防止具５０を用いて実施した例であり、図中、１はロープ、２は係止具、３は帆立貝、３ａは耳片である。
本実施の形態では、前記した漏斗状の落下防止具を傘のように下向きにロープに取り付け、支持し、装着したものである。
傘状の本体５１の周壁には排水開口５７…を備え、所定の帆立貝単位４，４の間に落下防止具５０を傘状に配置し、図１２に示すように、ロープ１に吊り下げ支持された帆立貝単位４…のうちの上から２番目と３番目の単位Ｂ，Ｃの間に傘状の落下防止具５０を配設した。
【００４８】
以上においては、落下防止具５０は、ロープ１に保持された帆立貝養殖単位４…の所定のものの間に配設されており、雑物８が付着した状態の帆立貝の水揚げ時に、例えば、図１２におけるＡ，Ｂの帆立貝養殖単位が、係止具２の破断等によりロープから脱落した際、Ｃ以下の雑物８を含む帆立貝養殖単位上に落下したりする虞がある。
この落下は、雑物８を含む帆立貝養殖単位Ｂの下側にある落下防止具５０により受けられ、落下防止具５０は傘状なので、下向きの径方向外方の傘面にガイドされて径方向外方に滑って落下し、下位の雑物８を含む帆立貝養殖単位Ｃには接触したりすることがない。従って、図１２に示した上位の帆立貝養殖単位（雑物８を含む）Ａ，Ｂの脱落、落下の下位（Ｃ以下）への影響を防止することができる。
【００４９】
以上の実施の形態では、図１に示した実施例を傘状に用いた実施例を示しているが、図８の実施例、図９、図１０の実施例における落下防止具を逆向きに用いることも可能であり、図１１と同様なので、逆向きに落下防止具をロープ取り付けるとする説明のみで理解し得ると思料したので、図示しなかった。
【産業上の利用可能性】
【００５０】
本考案に係る落下防止具は、帆立貝養殖に利用することができる。
【符号の説明】
【００５１】
１…ロープ、  ２…係止具、  ３…帆立貝、  １０，２０，３０，４０，５０…落下防止具。
【図１】
0003156673.tif 000003
【図２】
0003156673.tif 000004
【図３】
0003156673.tif 000005
【図４】
0003156673.tif 000006
【図５】
0003156673.tif 000007
【図６】
0003156673.tif 000008
【図７】
0003156673.tif 000009
【図８】
0003156673.tif 000010
【図９】
0003156673.tif 000011
【図１０】
0003156673.tif 000012
【図１１】
0003156673.tif 000013
【図１２】
0003156673.tif 000014
【図１３】
0003156673.tif 000015
【図１４】
0003156673.tif 000016
【図１５】
0003156673.tif 000017
【図１６】
0003156673.tif 000018
【図１７】
0003156673.tif 000019